(57)【要約】【課題】  カメラ用無線装置による送信状態を把握可能とすること。【解決手段】  電池と、電池の残量を検出する検出部と、無線または有線によりカメラと接続する接続部と、無線通信により画像データを送信する送信部と、電池の残量に基づいて、送信部により送信可能な画像データのデータ量である送信可能データ量を算出する算出部と、送信可能データ量を示す情報を、接続部を介してカメラに供給する供給部とを備える。なお、接続部を介してカメラから画像データを取得して一時記録する一時記録部を備え、算出部は、電池の残量に加えて、一時記録部における記録残容量に基づいて、送信可能データ量を算出しても良い。また、算出部は、電池の残量に加えて、送信部による平均送信速度と、送信部による送信時の消費電流との少なくとも一方に基づいて、送信可能データ量を算出しても良い。【選択図】      図１
2008205945.tif 000002
【特許請求の範囲】
【請求項１】
電池と、
前記電池の残量を検出する検出部と、
無線または有線によりカメラと接続する接続部と、
無線通信により画像データを送信する送信部と、
前記電池の残量に基づいて、前記送信部により送信可能な前記画像データのデータ量である送信可能データ量を算出する算出部と、
前記送信可能データ量を示す情報を、前記接続部を介して前記カメラに供給する供給部と
を備えたことを特徴とするカメラ用無線装置。
【請求項２】
請求項１に記載のカメラ用無線装置において、
前記接続部を介して前記カメラから画像データを取得して一時記録する一時記録部を備え、
前記算出部は、前記電池の残量に加えて、前記一時記録部における記録残容量に基づいて、前記送信可能データ量を算出する
ことを特徴とするカメラ用無線装置。
【請求項３】
請求項１に記載のカメラ用無線装置において、
前記算出部は、前記電池の残量に加えて、前記送信部による平均送信速度と、前記送信部による送信時の消費電流との少なくとも一方に基づいて、前記送信可能データ量を算出する
ことを特徴とするカメラ用無線装置。
【請求項４】
請求項１に記載のカメラ用無線装置において、
前記電池は、前記検出部を内蔵する電池残量検出機能付き電池である
ことを特徴とするカメラ用無線装置。
【請求項５】
請求項１に記載のカメラ用無線装置において、
前記算出部は、前記電池の残量が所定の閾値を下回ると、前記送信可能データ量の算出を開始する
ことを特徴とするカメラ用無線装置。
【請求項６】
請求項１に記載のカメラ用無線装置において、
前記算出部は、前記送信可能データ量の算出を所定の時間間隔で繰り返し行い、
前記供給部は、前記送信可能データ量が算出されるたびに、前記送信可能データ量を示す情報を、前記接続部を介して前記カメラに供給する
ことを特徴とするカメラ用無線装置。
【請求項７】
被写体像を撮像して画像データを生成する撮像部と、
前記画像データを記録する記録部と、
無線または有線によりカメラ用無線装置と接続する接続部と、
前記カメラ用無線装置の電池残量を示す情報を、前記接続部を介して前記カメラ用無線装置から取得する取得部と、
前記電池の残量を示す情報に基づいて、前記カメラ用無線装置により送信可能な画像データのデータ量である送信可能データ量を示す情報を算出する算出部と、
前記送信可能データ量に基づいて、前記記録部から前記接続部を介して前記カメラ用無線装置に供給する前記画像データを決定する決定部と
を備えたことを特徴とするカメラ。
【請求項８】
カメラと、請求項１から請求項６の何れか１項に記載のカメラ用無線装置とを備える
ことを特徴とするカメラシステム。
【請求項９】
カメラと、前記カメラと無線または有線により接続可能なカメラ用無線装置とからなるカメラシステムであって、
前記カメラ用無線装置は、
電池と、
前記電池の残量を検出する検出部と、
無線または有線により前記カメラと接続する無線装置側接続部と、
無線通信により画像データを送信する送信部と、
前記電池の残量を示す情報を、前記無線装置側接続部を介して前記カメラに供給する供給部とを備え、
前記カメラは、
被写体像を撮像して画像データを生成する撮像部と、
前記画像データを記録する記録部と、
無線または有線によりカメラ用無線装置と接続するカメラ側接続部と、
前記電池の残量を示す情報を、前記無線装置側接続部および前記カメラ側接続部を介して前記カメラ用無線装置から取得する取得部と、
前記電池の残量を示す情報に基づいて、前記カメラ用無線装置の前記送信部により送信可能な前記画像データのデータ量である送信可能データ量を算出する算出部と、
前記送信可能データ量に基づいて、前記記録部から前記カメラ側接続部および前記無線装置側接続部を介して前記カメラ用無線装置に供給する前記画像データを決定する決定部と
を備えたことを特徴とするカメラシステム。
【発明の詳細な説明】
【技術分野】
【０００１】
本発明は、無線機能を備えたカメラ用無線装置、カメラ用無線装置と接続可能なカメラ、カメラと無線装置とからなるカメラシステムに関する。
【背景技術】
【０００２】
カメラにより生成した画像データを、無線通信により転送するカメラ用無線装置が知られている（例えば、特許文献１参照）。特許文献１の発明では、カメラにより生成した画像データをカメラ内の記録媒体に保存するとともに、無線ＬＡＮ等の通信機能を備えたカメラ用無線装置に転送し、カメラ用無線装置からサーバなどへの転送を行っている。一般に、カメラ用無線装置からの転送における通信速度は、カメラからカメラ用無線装置への転送における通信速度よりも遅い。そこで、カメラ用無線装置内に一時記録部を備え、この一時記録部にカメラから転送された画像データを一旦記録しておき、順次転送を行っている。特許文献１の発明では、このような転送時の転送方法を複数用意し、ユーザの指示に応じた転送を行っている。
【特許文献１】特開２００６−８６５９５号公報
【発明の開示】
【発明が解決しようとする課題】
【０００３】
カメラ用無線装置が電池を備えこの電池を電源として使用する場合には、電池残量がなくなると、カメラ用無線装置の電源がＯＦＦしてしまう。このような場合には、一時記録部に一時記録された画像データが消失してしまったり、それぞれの画像データが転送済みであるか否かが分からなくなってしまう場合がある。
本発明は、カメラ用無線装置による送信状態を把握可能とすることを目的とする。
【課題を解決するための手段】
【０００４】
本発明のカメラ用無線装置は、電池と、前記電池の残量を検出する検出部と、無線または有線によりカメラと接続する接続部と、無線通信により画像データを送信する送信部と、前記電池の残量に基づいて、前記送信部により送信可能な前記画像データのデータ量である送信可能データ量を算出する算出部と、前記送信可能データ量を示す情報を、前記接続部を介して前記カメラに供給する供給部とを備える。
【０００５】
なお、好ましくは、前記接続部を介して前記カメラから画像データを取得して一時記録する一時記録部を備え、前記算出部は、前記電池の残量に加えて、前記一時記録部における記録残容量に基づいて、前記送信可能データ量を算出しても良い。
また、好ましくは、前記算出部は、前記電池の残量に加えて、前記送信部による平均送信速度と、前記送信部による送信時の消費電流との少なくとも一方に基づいて、前記送信可能データ量を算出しても良い。
【０００６】
また、好ましくは、前記電池は、前記検出部を内蔵する電池残量検出機能付き電池であっても良い。
また、好ましくは、前記算出部は、前記電池の残量が所定の閾値を下回ると、前記送信可能データ量の算出を開始しても良い。
また、好ましくは、前記算出部は、前記送信可能データ量の算出を所定の時間間隔で繰り返し行い、前記供給部は、前記送信可能データ量が算出されるたびに、前記送信可能データ量を示す情報を、前記接続部を介して前記カメラに供給しても良い。
【０００７】
本発明のカメラは、被写体像を撮像して画像データを生成する撮像部と、前記画像データを記録する記録部と、無線または有線によりカメラ用無線装置と接続する接続部と、前記カメラ用無線装置の電池残量を示す情報を、前記接続部を介して前記カメラ用無線装置から取得する取得部と、前記電池の残量を示す情報に基づいて、前記カメラ用無線装置により送信可能な画像データのデータ量である送信可能データ量を示す情報を算出する算出部と、前記送信可能データ量に基づいて、前記記録部から前記接続部を介して前記カメラ用無線装置に供給する前記画像データを決定する決定部とを備える。
【０００８】
本発明のカメラシステムは、カメラと、上述したカメラ用無線装置の何れかとを備える。
本発明の別のカメラシステムは、カメラと、前記カメラと無線または有線により接続可能なカメラ用無線装置とからなるカメラシステムであって、前記カメラ用無線装置は、電池と、前記電池の残量を検出する検出部と、無線または有線により前記カメラと接続する無線装置側接続部と、無線通信により画像データを送信する送信部と、前記電池の残量を示す情報を、前記無線装置側接続部を介して前記カメラに供給する供給部とを備え、前記カメラは、被写体像を撮像して画像データを生成する撮像部と、前記画像データを記録する記録部と、無線または有線によりカメラ用無線装置と接続するカメラ側接続部と、前記電池の残量を示す情報を、前記無線装置側接続部および前記カメラ側接続部を介して前記カメラ用無線装置から取得する取得部と、前記電池の残量を示す情報に基づいて、前記カメラ用無線装置の前記送信部により送信可能な前記画像データのデータ量である送信可能データ量を算出する算出部と、前記送信可能データ量に基づいて、前記記録部から前記カメラ側接続部および前記無線装置側接続部を介して前記カメラ用無線装置に供給する前記画像データを決定する決定部とを備える。
【発明の効果】
【０００９】
本発明によれば、カメラ用無線装置による送信状態を把握可能とすることができる。
【発明を実施するための最良の形態】
【００１０】
＜第１実施形態＞
以下、図面を用いて本発明の第１実施形態について説明する。第１実施形態では、電子カメラとカメラ用無線装置とからなるカメラシステムを例に挙げて説明する。図１は、第１実施形態のカメラシステムの外観図である。
カメラ用無線装置１は、図１Ａに示すように、側面に無線アンテナ２、ケーブル３を備える。
【００１１】
カメラシステム２０は、図１Ｂに示すように、図１Ａに示したカメラ用無線装置１と、カメラ用無線装置１とケーブル３を介して接続された電子カメラ５０とからなる。また、電子カメラ５０は、図１Ｂに示すように、上面にレリーズ釦５２を備え、前面に撮影レンズ５３を備える。
カメラ用無線装置１および電子カメラ５０は、ケーブル３を介して、電気的かつ機械的に接続される。ケーブル３は、例えば、ＵＳＢ（Universal Serial Bus）などのケーブルである。カメラ用無線装置１および電子カメラ５０は、このケーブル３を介して、画像データなどの各種情報を相互に供給可能である。
【００１２】
図２は、カメラシステム２０の機能ブロック図である。
カメラ用無線装置１は、図２に示すように、無線アンテナ２（図１Ａ）を用いて画像データなどの情報をサーバなどに送信する送信部３１、ケーブル３（図１Ａ）を介して電子カメラ５０と接続する接続部３２、電子カメラ５０から供給された画像データを一時記録する一時記録部３３、電池３４Ａを備え、カメラ用無線装置１に電力を供給する電源部３４、各部を制御する無線装置制御部３５を備える。電源部３４が備える電池３４Ａは、残量を検出する機能を備えたいわゆる電池残量検出機能付き電池である。電源部３４は、検出した電池３４Ａの電池残量を示す情報を無線装置制御部３５に供給する。
【００１３】
図２において、接続部３２、一時記録部３３は無線装置制御部３５と相互に接続される。また、無線装置制御部３５の出力は、送信部３１にも接続される。また、電源部３４の出力は無線装置制御部３５に接続される。
電子カメラ５０は、図２に示すように、ケーブル３（図１Ａ）を介してカメラ用無線装置１と接続する接続部５１、撮影レンズ５３や不図示の撮像素子を含む撮像部５５、レリーズ釦５２や不図示の電源釦などを含む操作部５６、画像データを記録する記録部５７、各部を制御するカメラ制御部５８を備える。図２において、撮像部５５、記録部５７、接続部５１は、カメラ制御部５８と相互に接続される。また、操作部５６の状態はカメラ制御部５８により検知される。
【００１４】
以上説明した構成の電子カメラ５０において、ユーザによりレリーズ釦５２を介して撮影指示が行われると、カメラ制御部５８はこれを検知し、各部を介して撮像を行う。そして、カメラ制御部５８は、撮像により生成した画像データを記録部５７に記録する。
また、ユーザにより操作部５６を介してカメラ用無線装置１への画像の転送指示が行われると、カメラ制御部５８はこれを検知し、接続部５１を介して、カメラ用無線装置１に転送開始指示を行う。
【００１５】
カメラ用無線装置１は、電子カメラ５０から転送開始指示を受け付けると、接続部３２を介して電子カメラ５０から画像データを取得し、一時記録部３３に一時記録する。そして、一時記録部３３に記録した画像データを、送信部３１を介して、順次送信する。送信部３１による画像データの送信の具体的な方法は、従来技術と同様であるため説明を省略する。
【００１６】
図３は、電子カメラ５０から転送開始指示を受け付けた際のカメラ用無線装置１の無線装置制御部３５の動作を示すフローチャートである。
ステップＳ１において、無線装置制御部３５は、接続部３２を介して転送開始が指示されたか否かを判定する。そして、転送開始が指示されたと判定すると、ステップＳ２に進む。
【００１７】
ステップＳ２において、無線装置制御部３５は、電源部３４から電池３４Ａの残量を示す情報を取得することにより電池３４Ａの残量を検出する。
ステップＳ３において、無線装置制御部３５は、無線装置制御部３５内の不図示のタイマをスタートする。
ステップＳ４において、無線装置制御部３５は、ステップＳ２において検出した電池３４Ａの残量が所定の閾値Ｃｘ未満であるか否かを判定する。閾値Ｃｘは、予め定められた値であり、カメラ用無線装置１における電池３４Ａの残量を警戒する必要があると想定される値である。無線装置制御部３５は、電池３４Ａの残量が所定の閾値Ｃｘ未満であると判定するとステップＳ５に進む。
【００１８】
ステップＳ５において、無線装置制御部３５は、送信可能データ量を算出する。送信可能データ量とは、カメラ用無線装置１の現在における電池３４Ａの残量で送信可能な画像データのデータ量であり、以下の式を用いて算出する。
送信可能データ量（Ｄｃ）＝（Ｃｂ／Ｉｔ）＊Ｒａｖｅ−Ｃｃ＊８  …式１
式１において、Ｃｂは、ステップＳ２において検出した電池３４Ａの残量（ｍＡｈ）である。また、Ｉｔは、送信部３１による送信時の消費電流（ｍＡ）である。また、Ｒａｖｅは、送信部３１による送信時の平均送信速度（ｂｐｓ）である。また、Ｃｃは、一時記録部３３の残容量（ｂｙｔｅ）である。なお、平均送信速度（ｂｐｓ）は、一定時間内に送信したデータ量に基づいて算出することができる。
【００１９】
ステップＳ６において、無線装置制御部３５は、ステップＳ５で算出した送信可能データ量を示す情報を、接続部３２を介して電子カメラ５０に供給する。
ステップＳ７において、無線装置制御部３５は、無線装置制御部３５内の不図示のタイマにより所定時間Ｔを経過したか否かを判定し、所定時間Ｔを経過したと判定するとステップＳ８に進む。
【００２０】
ステップＳ８において、無線装置制御部３５は、ステップＳ２と同様に、再び電源部３４から電池３４Ａの残量を示す情報を取得することにより電池３４Ａの残量を検出する。
ステップＳ９において、無線装置制御部３５は、無線装置制御部３５内の不図示のタイマを再スタートし、ステップＳ５に戻る。
すなわち、無線装置制御部３５は、所定時間Ｔ間隔で、電池３４Ａの残量検出と、送信可能データ量の算出と、送信可能データ量を示す情報の電子カメラ５０への供給とを繰り返し行う。
【００２１】
電子カメラ５０において、カメラ制御部５８は、カメラ用無線装置１から供給された送信可能データ量を示す情報に基づいて、画像データのカメラ用無線装置１への転送を行う。
以上説明したように、第１実施形態によれば、電池と、電池の残量を検出する検出部と、無線または有線によりカメラと接続する接続部と、無線通信により画像データを送信する送信部と、電池の残量に基づいて、送信部により送信可能な画像データのデータ量である送信可能データ量を算出する算出部と、送信可能データ量を示す情報を、接続部を介してカメラに供給する供給部とを備える。したがって、カメラ用無線装置による送信状態を把握可能とすることができる。具体的には、従来のように、カメラ用無線装置の電池残量がなくなった場合に、一時記録部に一時記録された画像データが消失してしまったり、各画像データが転送済みであるか否かが分からなくなってしまうという問題を回避することができる。言い換えれば、カメラ用無線装置により送信可能な画像データのみをカメラからカメラ用無線装置に供給することができる。また、電池残量に起因してカメラ用無線装置から送信できない画像データを、カメラから不用に供給してしまう問題も回避することができる。
【００２２】
また、第１実施形態によれば、接続部を介してカメラから画像データを取得して一時記録する一時記録部を備え、電池の残量に加えて、一時記録部における記録残容量に基づいて、送信可能データ量を算出する。したがって、カメラ用無線装置の一時記録部の記録残容量に応じた送信可能データ量を算出することができる。
また、第１実施形態によれば、電池の残量に加えて、送信部による平均送信速度と、送信部による送信時の消費電流との少なくとも一方に基づいて、送信可能データ量を算出する。したがって、カメラ用無線装置の送信における通信の状態に応じた送信可能データ量を算出することができる。
【００２３】
また、第１実施形態によれば、カメラ用無線装置が備える電池は、検出部を内蔵する電池残量検出機能付き電池である。したがって、カメラ用無線装置における電池残量を正確に把握することができる。
また、第１実施形態によれば、電池の残量が所定の閾値を下回ると、送信可能データ量の算出を開始する。したがって、電池の残量が十分である場合には不要な処理を行わず、電池の残量に警戒が必要な状態になった場合にのみ電池の残量検出と、送信可能データ量の算出と、送信可能データ量を示す情報のカメラへの供給を行うことができる。
【００２４】
また、第１実施形態によれば、算出部は、送信可能データ量の算出を所定の時間間隔で繰り返し行い、供給部は、送信可能データ量が算出されるたびに、送信可能データ量を示す情報を、接続部を介してカメラに供給する。したがって、刻々と変化するカメラ用無線装置による送信における通信の状態に応じた対応を実現することができる。
＜第２実施形態＞
以下、図面を用いて本発明の第２実施形態について説明する。第２実施形態では、第１実施形態と同様に、電子カメラとカメラ用無線装置とからなるカメラシステムを例に挙げて説明する。また、第２実施形態では、第１実施形態と異なる部分についてのみ説明し、第１実施形態と同様の構成については、第１実施形態と同様の符号を用いて説明する。
【００２５】
図４は、第２実施形態のカメラシステム６０の機能ブロック図である。
カメラ用無線装置１０は、第１実施形態のカメラ用無線装置１の電源部３４および電池３４Ａに代えて、電池３６および検出部３７を備える。電池３６は、第１実施形態の電池３４Ａと異なり、電池残量検出機能を備えない電池である。また、検出部３７は、電池３６を監視し、電池３６の電池残量を検出する。
【００２６】
電子カメラ７０は、第１実施形態の電子カメラ５０と同様の構成を備える。
以上説明した構成のカメラシステム６０において、ユーザにより電子カメラ７０の操作部５６を介してカメラ用無線装置１０への画像の転送指示が行われた際の、電子カメラ７０のカメラ制御部５８の動作を図５に示すフローチャートを用いて説明する。
ステップＳ１１において、カメラ制御部５８は、接続部５１を介して、カメラ用無線装置１０に転送開始指示を行う。
【００２７】
カメラ用無線装置１０の無線装置制御部３５は、電子カメラ７０から転送開始指示を受け取ると、検出部３７により検出した電池３６の残量を示す情報と、送信部３１による送信時の消費電流（ｍＡ）と、送信部３１による送信時の平均送信速度（ｂｐｓ）と、一時記録部３３の残容量とを示す情報を電子カメラ７０に供給する。各情報の詳細は、第１実施形態と同様である。
【００２８】
ステップＳ１２において、カメラ制御部５８は、接続部５１を介して、カメラ用無線装置１０から電池３６の残量を示す情報を取得する。
ステップＳ１３において、カメラ制御部５８は、接続部５１を介して、カメラ用無線装置１０から送信可能データ量を算出するのに必要な情報を取得する。送信可能データ量を算出するのに必要な情報とは、上述した送信部３１による送信時の消費電流（ｍＡ）と、送信部３１による送信時の平均送信速度（ｂｐｓ）と、一時記録部３３の残容量とを含む。
【００２９】
ステップＳ１４において、カメラ制御部５８は、カメラ制御部５８内の不図示のタイマをスタートする。
ステップＳ１５において、カメラ制御部５８は、ステップＳ１２において取得した電池３６の残量が所定の閾値Ｃｘ未満であるか否かを判定する。所定の閾値Ｃｘは、第１実施形態と同様である。
【００３０】
ステップＳ１６において、カメラ制御部５８は、送信可能データ量を算出する。送信可能データ量の算出は、第１実施形態のステップＳ５と同様に行う
ステップＳ１７において、カメラ制御部５８は、カメラ用無線装置１０に供給する画像データを決定する。カメラ制御部５８は、ステップＳ１６で算出した送信可能データ量に基づいて、記録部５７に記録した画像データのうち、カメラ用無線装置１０に供給する画像データを決定する。このとき、カメラ制御部５８は、送信可能データ量を下回る量の画像データを決定する。また、送信可能データ量に応じて、画像データの供給順を適宜入れ替えても良い。
【００３１】
ステップＳ１８において、カメラ制御部５８は、カメラ制御部５８内の不図示のタイマにより所定時間Ｔを経過したか否かを判定し、所定時間Ｔを経過したと判定するとステップＳ１９に進む。
ステップＳ１９において、カメラ制御部５８は、ステップＳ１２と同様に、再び接続部５１を介して、カメラ用無線装置１０から電池３６の残量を示す情報を取得する。なお、カメラ制御部５８は、カメラ用無線装置１０に再び電池３６の残量を示す情報を再び供給させるための信号を接続部５１を介してカメラ用無線装置１０に送信する構成とすると良い。また、カメラ用無線装置１０が、所定の時間間隔で電池３６の残量を示す情報を供給する構成としても良い。
【００３２】
ステップＳ２０において、カメラ制御部５８は、カメラ制御部５８内の不図示のタイマを再スタートし、ステップＳ１６に戻る。
すなわち、カメラ制御部５８は、所定時間Ｔ間隔で、電池３６の残量を示す情報の取得と、送信可能データ量の算出と、カメラ用無線装置１０に供給する画像データの決定とを繰り返し行う。
【００３３】
以上説明したように、第２実施形態によれば、送信可能データ量の算出をカメラ側で行い、第１実施形態と同様の効果を得ることができる。
なお、第２実施形態では、電子カメラ７０は、カメラ用無線装置１０から電池３６の残量を示す情報と、送信部３１による送信時の消費電流（ｍＡ）を示す情報と、送信部３１による送信時の平均送信速度（ｂｐｓ）を示す情報と、一時記録部３３の残容量を示す情報とを取得する例を示したが、必ずしも全ての情報を取得する構成でなくても良い。例えば、一部の情報としてデフォルト値を利用する構成としても良い。また、カメラ用無線装置１０から評価値などの形で算出途中の情報を取得する構成としても良い。
【００３４】
なお、上記各実施形態において、 カメラ用無線装置の一時記録部は、ＲＡＭなどの電源ＯＦＦ後に情報を保持できないメモリであっても良いし、ＥＥＰＲＯＭなどの電源ＯＦＦ後に情報を保持できるメモリであっても良い。何れの場合も、カメラ用無線装置により送信可能な画像データのみをカメラからカメラ用無線装置に供給することにより、カメラ用無線装置による送信状態を把握可能とすることができる。
【００３５】
また、上記各実施形態では、送信可能データ量を算出する例を示したが、送信可能な枚数などを算出する構成としても良い。
また、上記各実施形態で説明した送信可能データ量の算出方法は一例であり、上記各実施形態で用いた式１以外の式を用いて算出しても良い。また、さらに別のファクターを組み合わせて算出しても良い。
【００３６】
また、上記各実施形態では、カメラとカメラ用無線装置とをケーブル（有線）により接続する例を示したが、無線により接続する構成としても良い。また、ＵＳＢ以外に、ｂｌｕｅｔｏｏｔｈなどのケーブルを用いても良い。
また、上記各実施形態において、カメラ用無線装置の送信における通信の状態に何らかの異常が発生し、送信可能データ量に基づいて取得したにも拘わらず送信できない画像データが存在する場合には、カメラ用無線装置からカメラに、異常を示す情報などを送信すると良い。また、カメラ用無線装置により画像データの送信が完了するたびに、送信完了を示す情報をカメラ用無線装置からカメラ送信しても良い。この情報は、カメラに記録された画像データのタグ情報などとして、画像データと対応づけて記録すると良い。
【００３７】
また、上記各実施形態において、カメラからカメラ用無線装置に供給した画像データについては、カメラ側にコピーを残す構成としても良いし、カメラ側の該当画像データを削除する構成としても良い。カメラ側の該当画像データを削除する場合には、カメラ用無線装置から送信完了を示す情報を取得してから削除する構成とすると良い。
また、上記各実施形態において、カメラの電池残量を検出し、カメラ用無線装置に画像データを送信可能なデータ量を算出する構成としても良い。また、カメラ側の電池残量が、カメラ用無線装置よりも先になくなった場合には、カメラ用無線装置が独立に制御を行い、カメラから供給された全ての画像データを送信する構成とするのが好ましい。
【図面の簡単な説明】
【００３８】
【図１】第１実施形態のカメラシステム２０の外観図である。
【図２】第１実施形態のカメラシステム２０の機能ブロック図である。
【図３】第１実施形態のカメラシステム２０におけるカメラ用無線装置１の無線装置制御部３５の動作を示すフローチャートである。
【図４】第２実施形態のカメラシステム６０の機能ブロック図である。
【図５】第２実施形態のカメラシステム６０における電子カメラ７０のカメラ制御部５８の動作を示すフローチャートである。
【符号の説明】
【００３９】
２０・６０…カメラシステム，１・１０…カメラ用無線装置，５０・７０…電子カメラ，３５・無線装置制御部，３４Ａ・３６…電池，３７…検出部，５８…カメラ制御部
【図１】
2008205945.tif 000003
【図２】
2008205945.tif 000004
【図３】
2008205945.tif 000005
【図４】
2008205945.tif 000006
【図５】
2008205945.tif 000007